(57)【特許請求の範囲】
【請求項１】
機器の本体フレームの左右両側に取り付けられた側板の各々を内外面からカバーで覆ってなる機器のカバー組立て構造であって、
前記側板の外面側に装着される外サイドカバーと、
前記側板の内面側に装着される内サイドカバーと、
前記内サイドカバーの後端縁と本体フレームとの間に挿入・固定されるスペーサとを備え、
前記外サイドカバーは前記側板に装着されることにより位置決めされ、
前記内サイドカバーは、前記側板に装着されると共に前記スペーサが挿入・固定されることにより位置決めされることを特徴とする機器のカバー組立て構造。
【請求項２】
前記機器は、原稿画像を読み取る画像読取りユニットと、画像を記録媒体に記録する記録部を備え、
前記画像読取りユニットは、前記左右の側板の間に回動自在に軸支され、前傾姿勢に回動された時に前記記録部の上方が開放され、
同ユニットの下方に前記記録部による記録後の記録媒体の排出路が設けられ、前記内サイドカバーはこの排出路に臨むことを特徴とする請求項１に記載の機器のカバー組立て構造。
【請求項３】
機器の本体フレームの左右両側に取り付けられた側板の各々を内外面からカバーで覆ってなる機器のカバー組立て方法であって、
前記側板の内面側に内サイドカバーを正規位置よりも僅かに後方にスライドさせた位置に装着し、
前記側板の外面側に外サイドカバーを正規位置よりも僅かに後方から前方にスライドさせて正規位置に装着し、その後、
前記内サイドカバーを前方にスライドさせて正規位置とすると共に、前記内サイドカバーの後端縁と本体フレームとの間にスペーサを挿入し固定することで、該内サイドカバーの前後方向位置決めを行うことを特徴とする機器のカバー組立て方法。
【請求項４】
前記機器は、原稿画像を読み取る画像読取りユニットと、画像を記録媒体に記録する記録部を備え、前記画像読取りユニットを前記左右の側板の間に前傾姿勢に回動自在に軸支させ、
同ユニットの下方に前記記録部による記録後の記録媒体の排出路を形成し、
この排出路に前記内サイドカバーを臨ませたことを特徴とする請求項３に記載の機器のカバー組立て方法。
【発明の詳細な説明】
【０００１】
【発明の属する技術分野】
本発明は、イメージスキャナ、ファクシミリ、コピー機等の機器に適用されるカバー組立て構造及び方法に関するものである。
【０００２】
【従来の技術】
従来、この種の機器のカバー組立て構造において、機器の構造上、外装カバーが細かく分割される場合、カバー取り付けのための留めネジが外側に露出したものとなる。
また、原稿画像を読み取る読み取りユニット（スキャナ部）と、受信し又は読み取った画像を記録用紙に記録する記録部とを備えた画像読取り・記録装置において、装置全体の形状を小型化するために、記録部の上方にスキャナ部の一部が被さるような関係に配置した構成を採用することがある。
【０００３】
【発明が解決しようとする課題】
ところが、機器の外面に留めネジ類が露出すると、デザイン上、好ましくない。また、上記のような画像読取り・記録装置の構成を採用した場合、記録部の記録ヘッドでのインク交換や搬送通路での記録用紙のジャム処理のために、記録部の上方を開放する必要性がある。そこで、スキャナ部を両側面で装置本体に対して回動自在に軸支する構成が考えられる。この場合、スキャナ部を機器本体フレームに取り付けられた金属板でなる左右の側板の間に回動可能に設ける構成を取ることになる。そのような構成では、デザイン上の理由から金属板でなる側板を目隠しするために、側板の内外面を化粧用のサイドカバーで覆うことになるが、その場合、サイドカバー固定のための留めネジ類が外面に露出し易い。
【０００４】
本発明は、上述した問題点を解決するためになされたものであり、機器の構造上、外装カバーが複数に分割されている場合において、その外装カバーを固定するための留めネジ類が機器の外面から見えないようにし、特に、画像読取りユニットが装置本体の側板に回動自在に設けられているような場合に、この側板を覆い隠すようにして美観を損なわないようにした機器のカバー組立て構造及び方法を提供することを目的とする。
【０００５】
【課題を解決するための手段】
上記目的を達成するために請求項１の発明は、機器の本体フレームの左右両側に取り付けられた側板の各々を内外面からカバーで覆ってなる機器のカバー組立て構造であって、側板の外面側に装着される外サイドカバーと、側板の内面側に装着される内サイドカバーと、内サイドカバーの後端縁と本体フレームとの間に挿入・固定されるスペーサとを備え、外サイドカバーは側板に装着されることにより位置決めされ、内サイドカバーは、側板に装着されると共にスペーサが挿入・固定されることにより位置決めされるものである。
この構成においては、外サイドカバーは側板により位置決め固定され、内サイドカバーは側板及びスペーサにより前後方向の位置決め固定が成される。外サイドカバー及び内サイドカバーの側板への装着を、各々の部材に設けた突部と穴等の相互係合により行い、スペーサを外面から見えない位置でネジ留めすることができ、外サイドカバー及び内サイドカバーを固定するための留めネジが外面から見えないものとすることができる。また、側板を両サイドカバーにより覆い隠すことが可能である。
【０００６】
また、請求項２の発明は、上記請求項１に記載の機器のカバー組立て構造において、機器は、原稿画像を読み取る画像読取りユニットと、画像を記録媒体に記録する記録部を備え、画像読取りユニットは、左右の側板の間に回動自在に軸支され、前傾姿勢に回動された時に記録部の上方が開放され、同ユニットの下方に記録部による記録後の記録媒体の排出路が設けられ、内サイドカバーはこの排出路に臨むものである。この構成においては、画像読取りユニットと画像を記録媒体に記録する記録部とを備えた機器にあって、上記と同等の作用が得られる。また、画像読取りユニットの下方に位置する記録媒体の排出路も内サイドカバーにより区画された形となる。
【０００７】
また、請求項３の発明は、機器の本体フレームの左右両側に取り付けられた側板の各々を内外面からカバーで覆ってなる機器のカバー組立て方法であって、側板の内面側に内サイドカバーを正規位置よりも僅かに後方にスライドさせた位置に装着し、側板の外面側に外サイドカバーを正規位置よりも僅かに後方から前方にスライドさせて正規位置に装着し、その後、内サイドカバーを前方にスライドさせて正規位置とすると共に、内サイドカバーの後端縁と本体フレームとの間にスペーサを挿入し固定することで、内サイドカバーの前後方向位置決めを行うものである。
この方法においては、側板に内サイドカバーを最初は正規位置よりも僅かに後方にスライドさせた位置に装着し、外サイドカバーを正規位置よりも僅かに後方から前方にスライドさせて正規位置に装着し、その後に、内サイドカバーを前方にスライドさせて正規位置とすると共に、内サイドカバーをスペーサにより位置決めする。これにより、側板の内面側で挿入されるスペーサをネジ留めするだけで、外サイドカバー及び内サイドカバーを側板に対して正規位置に固定することができる。
【０００８】
また、請求項４の発明は、上記請求項３に記載の機器のカバー組立て方法において、機器は、原稿画像を読み取る画像読取りユニットと、画像を記録媒体に記録する記録部を備え、画像読取りユニットを左右の側板の間に前傾姿勢に回動自在に軸支させ、同ユニットの下方に記録部による記録後の記録媒体の排出路を形成し、この排出路に内サイドカバーを臨ませたものである。この構成においては、画像読取りユニットと画像を記録媒体に記録する記録部とを備えた機器にあって、上記と同等の作用が得られる。
【０００９】
【発明の実施の形態】
以下、本発明を具体化した実施形態を図面を参照して説明する。図１は、カバー組立て構造が適用された機器の一実施形態であって、スキャナを搭載した多機能装置の外観図である。この多機能装置１は、ファクシミリ機能、プリンタ機能、コピー機能、スキャナ機能等の各種機能を備えている。
【００１０】
この多機能装置１の本体は箱体状に形成され、その左右両側面は、化粧ケースである左右のサイドカバー２，３（外サイドカバー）により覆われている。これらサイドカバー２，３は、図示しない本体フレームに取り付けられる。サイドカバー２，３の間には、図示しない原稿の画像を読み取る画像読取りユニット４が装置本体に対して軸部２２（図２）の回りに回動自在に支持されている。また、装置本体内には、画像を記録紙（記録媒体）に記録するための記録部５（図２）が内蔵され、画像読取りユニット４は記録部５の一部に被さるように上下重なり合って配置されており、これにより省スペース化を図っている。装置本体の後部には、記録紙を積層収納するための記録紙カセット６が装着されている。
【００１１】
画像読取りユニット４の上面には、キー操作部及びＬＣＤディスプレイでなる表示部を有する操作パネル７が配置されている。この画像読取りユニット４の後部には、ファクシミリ機能時に相手ファクシミリ装置に送信されるファクシミリ原稿や、コピー機能時に複写されるコピー原稿が積層載置可能な原稿載置部９が設けられている。装置本体前面には原稿排出部１０が設けられ、この原稿排出部１０には原稿排紙トレー１２が装着されている。また、原稿排出部１０の下方には記録紙排出部１３が設けられ、この記録紙排出部１３には記録紙排紙トレー１４が装着されている。
【００１２】
図２は多機能装置１の断面図であり、以下、本体内部の各構成要素を説明する。原稿読取りユニット４はスキャナ１５を備え、このスキャナ１５は、原稿載置部９に載置された読み取り原稿を搬送する搬送通路１６に臨んだ、ＣＣＤ等でなるイメージセンサ１７を有する。搬送通路１６には、原稿を分離・給送する分離ローラ１８、原稿を搬送する給紙ローラ１９、読み取り後の原稿を原稿排出部１０に排出する排紙ローラ２０等が配置されている。原稿読取りユニット４は、金属材等で成る本体フレーム側板２１に軸部２２により軸支され、前傾姿勢に回動可能とされており、これにより必要に応じて記録部５の上方を開放することができるようにしている。
【００１３】
記録部５はインク液滴を噴射するインクジェットプリンタの記録ヘッド２５を備え、この記録ヘッド２５はキャリッジ２６上にインクカートリッジ２７と共に搭載される。キャリッジ２６は、キャリッジ軸２８に案内されて、図示しない駆動機構により記録動作時に走差移動される。
【００１４】
記録紙カセット６は、カセットケース３１、前蓋３２、記録紙がセットされスプリングにより付勢された圧板３３、給紙ローラ３４等から構成されている。この記録紙カセット６にセットされた記録紙Ｐが、給紙ローラ３４により搬送通路３５に分離・給送される。搬送通路３５に臨んで、給紙ローラ３６、記録ヘッド２５に対向するプラテン３７、記録後の記録紙Ｐを記録紙排出部１３に排出する排紙ローラ３８等が配置されている。なお、各種ローラ等を駆動する駆動機構は図示を省略している。
【００１５】
画像読取りユニット４の軸部２２は中空円筒状であり、同ユニット４の左右のケース側面壁にケースと一体的に形成されている。この軸部２２を本体フレーム側板２１に設けた穴に貫通させることで同ユニット４を軸支させ、回転自在としている。記録紙排出部１３の奥方及び下面にはフロントカバー５４が装着され、このフロントカバー５４は、その後方に位置するカバー下５５（本体フレーム）にネジ５６により取り付けられる。
【００１６】
図３は多機能装置１のサイドカバー部分を断面した平面図である。上記本体フレーム側板２１はカバー下５５に取り付け片２１ａにより固定され、左右のサイドカバー２，３は、本体フレーム側板２１及びカバー下５５に、複数の相互係合部材、例えば、サイドカバー２，３の突起２ｃ，３ｃと本体フレーム側板２１の穴との係合等により装着される。また、左右のサイドカバー２，３の内側面には本体フレーム側板２１を覆い隠すように、フロントサイドカバー５２（内サイドカバー）が装着される。このフロントサイドカバー５２は、その突起５２ｂと本体フレーム側板２１の穴との係合により装着され、スペーサ５３がフロントサイドカバー５２の後端縁とカバー下５５の前壁との間に挿入・固定されることで位置決めされる。このフロントサイドカバー５２は、回動する原稿読取りユニット４の両側面及び記録紙排出部１３の側面を成す。これらの組付け方法の詳細は後述する。
【００１７】
また、サイドカバー２，３の内縁上部に、原稿読取りユニット４との隙間から塵埃ゴミが内方に入るのを防止するための樋状のゴミ受け５７が形成されている。さらに、サイドカバー２の側面には電話機のハンドセット受け５０が取り付けられている。
【００１８】
図４乃至図６は、複数に分割されているカバー各部材の組立て方法を説明するためのもので、第１〜第３の組立手順の順に並べた右側面図である。これらの図と上述の図３を参照して説明する。カバー下５５（本体フレーム）の左右両側に本体フレーム側板２１が取付け片２１ａにより取り付けられ、これら本体フレーム５５と本体フレーム側板２１に対して、同側板２１の各々の内外面にサイドカバー２，３（図４乃至図５では片方のサイドカバー３のみ示す）及びフロントサイドカバー５２が装着され、スペーサ５３により位置決め固定される。サイドカバー３及びフロントサイドカバー５２の本体フレーム側板２１への組立てを行う際に、各部材の突き合わせや係合を行うことから、組み付け途上では、一部の部材は最終の正規位置からスライドさせた位置に装着する必要がある。
【００１９】
以下に、カバー各部材の組立て手順を説明する。第１に、図４に示すように、本体フレーム側板２１の内面側にフロントサイドカバー５２を正規位置よりも僅かに後方（図４では右方）に（例えば正規位置より５ｍｍ前から１０ｍｍ後方に）スライドさせた位置に装着する。ここに、フロントサイドカバー５２に設けた複数の突起５２ｂ等を、本体フレーム側板２１に設けた穴２１ｂや端面に係合させることで装着を行う。図４に二点鎖線で示すサイドカバー３はこれから装着される正規位置を示す。
【００２０】
第２に、図５に示すように、本体フレーム側板２１の外面側にサイドカバー３を正規位置よりも僅かに後方から前方に（５ｍｍ）スライドさせて正規位置に装着する。ここに、サイドカバー３に設けた複数の突起３ｃ等を、本体フレーム側板２１に設けた穴２１ｃ等に係合させることで装着を行う。なお、最終的には、サイドカバー３の内壁面にフロントサイドカバー５２の端面とが当接されるが、この図５に示す状態では、フロントサイドカバー５２が正規の位置より後方にスライドされているので、サイドカバー３の内壁面とフロントサイドカバー５２の端面との間には隙間ｄがある。サイドカバー３の外形線とその内側の破線との間はカバー部材の肉厚である。
【００２１】
その後、第３に、図６に示すように、フロントサイドカバー５２を前方に（５ｍｍ）スライドさせて正規位置とすると共に、フロントサイドカバー５２の後端縁とカバー下５５との間にスペーサ５３を、本体中央側すなわち記録紙排出部１３（図２参照）の空間から左右横方向に挿入しネジ（図示なし）で固定することで、フロントサイドカバー５２の前後方向位置決めを行う。以上で、サイドカバー３とフロントサイドカバー５２の組立てが完了する。さらにその後に、フロントカバー５４を記録紙排出部１３の前方側から装着してネジ５６（図２）で固定する。
【００２２】
上記のような組立て構成であるので、スペーサ５３は外面から見えない位置でネジ留めすることができ、サイドカバー２，３及びフロントサイドカバー５２を固定するための留めネジ類が外部から見えないものとすることができ、しかも、金属板でなる本体フレーム側板２１を両サイドカバーにより覆い隠すことが可能であり、デザイン上、望ましいものとなる。
【００２３】
次に、多機能装置１におけるサイドカバー２の側面に取り付けられている電話機のハンドセット受け５０（カバー）の取り付け構造を、図７乃至図１１を参照して説明する。図７はハンドセット受け５０が取り付けられたサイドカバー２の側面を示し、図８はハンドセット受け５０等が取り付けられていない状態のサイドカバー２の側面を示し、図９はハンドセット受け５０の側面を示し、図１０は図８のＢ−Ｂ線断面を示し、図１１は図９のＤ−Ｄ線断面を示す。
【００２４】
サイドカバー２には、図８に示されるように、ハンドセット受け取り付け凹部６０が形成されており、この取り付け凹部６０の下縁部に横（前後方向）に並んで穴６１，６２，６３が設けられ、この穴６１，６２，６３の下端部から突起６４，６５，６６が突出形成されている。穴６１と穴６２の間、及び穴６２と穴６３の間にはそれぞれ穴６７が設けられている。また、取り付け凹部６０の上部にネジ挿通孔６８、及び穴６９が設けられている。一方、ハンドセット受け５０には、図９に示されるように、取付片７１，７２，７３が形成されており、この取付片７１，７２，７３の上部には穴７４，７５，７６が設けられている。取付片７１と取付片７２の間、及び取付片７２と取付片７３の間にはそれぞれ突起７７が設けられている。
【００２５】
ハンドセット受け５０の取付片７１〜７３はサイドカバー２側の穴６１〜６３に対応し、ハンドセット受け５０の穴７４〜７６はサイドカバー２側の突起６４〜６６に対応し、ハンドセット受け５０の突起７７はサイドカバー２側の穴６７に対応しており、図７、図１０及び図１１に示されるように、これらが互いに嵌合されることで、ハンドセット受け５０がサイドカバー２に保持される。また、図１０に示されるように、ネジ挿通孔６８及び穴６９に対応してハンドセット受け５０にはネジ受け７８及び突出部７９が設けられ、ネジ７８ａでハンドセット受け５０をサイドカバー２に固定する。なお、ハンドセット受け５０は、上部材５０ａと底部材５０ｂとから構成される。
【００２６】
上記の取り付け構造にあっては、ハンドセット受け５０は、横に並んでその両端部付近に位置する取付片７１〜７３がサイドカバー２の穴６１〜６３に嵌まり込むことで取り付けられているので、ハンドセット受け５０の前後端で外側に引っ張るような力が働いても、取付片７１〜７３がサイドカバー２に食い込むことになり、ハンドセット受け５０は外れ難いものとなる。
【００２７】
上記実施形態による多機能装置１の作用について詳細に説明する。この多機能装置１において、ファクシミリ送信機能時には画像読取りユニット４によりファクシミリ原稿の読み取りを行い、ファクシミリ受信機能時には記録部５により受信画像を記録紙Ｐに記録し、コピー機能時には画像読取りユニット４により複写原稿の読み取りを行うと共に記録部５により読み取り画像を記録紙Ｐに記録する。さらには、図示していない外部装置から伝送された画像データを記録部５により記録紙Ｐに記録する機能をも持つ。また、装置１は、画像読取りユニット４と記録部５とが一部上下に重なり合うような形態となり省スペース・小型化が図られており、しかも、画像読取りユニット４を軸部２２の回りに回動させることにより、記録部５の上方を開放することができ、記録部５のメンテナンス、インク交換や搬送通路３５でのジャム処理等を容易に行うことができる。
【００２８】
なお、本発明は上記実施形態の構成に限られず種々の変形が可能である。例えば、上記実施形態では、本発明をファクシミリ機能やコピー機能等を持つ多機能装置１に適用したものを示したが、画像読み取りユニット４が回動可能に設けられたスキャナ等の単機能装置、その他の機器に適用しても構わない。
【００２９】
【発明の効果】
以上のように請求項１の発明によれば、構造上、カバーが複数に分割されている外サイドカバーと内サイドカバーとを、側板及びスペーサにより位置決め固定することができるので、それらを固定するためのネジが外面から見えないものとすることが可能であり、また、側板を両サイドカバーにより覆い隠すことが可能であり、デザイン上、望ましいものとなる。
【００３０】
また、請求項２の発明によれば、画像読取りユニットと画像を記録媒体に記録する記録部とを備えた機器にあって、画像読取りユニットの下方に位置する記録媒体の排出路も内サイドカバーにより区画された形となり、上記と同等の効果が得られる。また、画像読取りユニットと記録部とが一部上下に重なり合った形態となり、両者を省スペースに本体内に組み込むことができる。しかも、そうした場合に、画像読取りユニットを前傾姿勢に回動させることにより、必要に応じて記録部における記録媒体の搬送通路を開放することができ、ジャム処理等の作業を容易に行うことができる。
【００３１】
また、請求項３の発明によれば、内サイドカバーと外サイドカバーとを側板に対してスライド移動させ、最終的にスペーサを用いて全体を正規の位置に固定することができるので、外サイドカバー及び内サイドカバーを固定するための留めネジを外面から見えないようにすることができる。
【００３２】
また、請求項４の発明によれば、画像読取りユニットと画像を記録媒体に記録する記録部とを備えた機器にあって、上記と同等の効果が得られる。
【図面の簡単な説明】
【図１】本発明の画像読み取り装置の一実施形態による多機能装置の外観図である。
【図２】多機能装置の断面図である。
【図３】多機能装置のサイドカバー部分を断面した平面図である。
【図４】カバー各部材の組立て方法を説明するための、第１の組立手順での右側面である。
【図５】カバー各部材の組立て方法を説明するための、第２の組立手順での右側面図である。
【図６】カバー各部材の組立て方法を説明するための、第３の組立手順での右側面図である。
【図７】ハンドセット受けが取り付けられたサイドカバーの側面図である。
【図８】ハンドセット受け等が取り付けられていない状態のサイドカバーの側面図である。
【図９】ハンドセット受けの側面図である。
【図１０】図８のＢ−Ｂ線断面図である。
【図１１】図９のＤ−Ｄ線断面図である。
【符号の説明】
２，３  サイドカバー（外サイドカバー）
４    画像読取りユニット
５    記録部
２１  本体フレーム側板
２２  軸部（支持軸）
５２  フロントサイドカバー（内サイドカバー）
５３  スペーサ
５５  カバー下（本体フレーム）
【図１】
0004135201.tif 000002
【図２】
0004135201.tif 000003
【図３】
0004135201.tif 000004
【図４】
0004135201.tif 000005
【図５】
0004135201.tif 000006
【図６】
0004135201.tif 000007
【図７】
0004135201.tif 000008
【図８】
0004135201.tif 000009
【図９】
0004135201.tif 000010
【図１０】
0004135201.tif 000011
【図１１】
0004135201.tif 000012